(57)【要約】【課題】携帯機器の盗難・紛失時にその携帯機器を取得した他人により機密性のある情報が漏洩することを防止するために、携帯機器を利用する毎に利用者が本人認証を実施する必要のない携帯機器、携帯録音機器、情報機器、プログラムおよびセキュリティ装置を提供することを目的とする。【解決手段】携帯機器は、セキュリティ付加データを記録処理モードの場合には書き込み再生処理モードの場合には読み出すセキュリティ付加データ記憶手段と、初期設定モードの場合には認証情報を情報機器から受信し再生処理モードの場合には前記認証情報および前記情報機器が前記セキュリティ付加データを再生するときは前記セキュリティ付加データを前記情報機器へ送信する第１の通信手段と、初期設定モードの場合には前記第１の通信手段の出力である前記認証情報を書き込み再生処理モードの場合には前記認証情報を読み出す第１の認証情報記憶手段とを有する。【選択図】図１
2008181268.tif 000002
【特許請求の範囲】
【請求項１】
セキュリティ付加データを記録処理モードの場合には書き込み再生処理モードの場合には読み出すセキュリティ付加データ記憶手段と、
初期設定モードの場合には認証情報を情報機器から受信し再生処理モードの場合には前記認証情報および前記情報機器が前記セキュリティ付加データを再生するときは前記セキュリティ付加データを前記情報機器へ送信する第１の通信手段と、
初期設定モードの場合には前記第１の通信手段の出力である前記認証情報を書き込み再生処理モードの場合には前記認証情報を読み出す第１の認証情報記憶手段と、
を有する携帯機器。
【請求項２】
初期設定モードの場合には自己が作成した認証情報を書き込む第２の認証情報記憶手段と、
初期設定モードの場合には前記認証情報を携帯機器へ送信し再生処理モードの場合には前記携帯機器の認証情報を前記携帯機器から受信しセキュリティ付加データを再生するときは前記セキュリティ付加データを前記携帯機器から受信する第２の通信手段と、
再生処理モードの場合には前記携帯機器の認証情報が第２の認証情報記憶手段に書き込まれた認証情報と一致するときは前記セキュリティ付加データの再生を可能にする第２の制御手段と、
を有する情報機器。
【請求項３】
情報機器を、
初期設定モードの場合には自己が作成した認証情報を書き込む第２の認証情報記憶手段と、
初期設定モードの場合には前記第１の認証情報を携帯機器へ送信し再生処理モードの場合には前記携帯機器の認証情報を前記携帯機器から受信しセキュリティ付加データを再生するときは前記セキュリティ付加データを前記携帯機器から受信する第２の通信手段と、
再生処理モードの場合には前記携帯機器の認証情報が第２の認証情報記憶手段に書き込まれた認証情報と一致するときは前記セキュリティ付加データの再生を可能にする第２の制御手段と、
して機能させるためのプログラム。
【請求項４】
請求項１記載の携帯機器と、
請求項２記載の情報機器と、
を有するセキュリティ装置。
【請求項５】
セキュリティ付加音声データを録音処理モードの場合には書き込み再生処理モードの場合には読み出すセキュリティ付加音声データ記憶手段と、
初期設定モードの場合には認証情報を情報機器から受信し再生処理モードの場合には前記認証情報および前記情報機器が前記セキュリティ付加音声データを再生するときは前記セキュリティ付加音声データを前記情報機器へ送信する第１の通信手段と、
初期設定モードの場合には前記第１の通信手段の出力である前記認証情報を書き込み再生処理モードの場合には前記認証情報を読み出す第１の認証情報記憶手段と、
を有する携帯録音機器。
【請求項６】
初期設定モードの場合には自己が作成した認証情報を書き込む第２の認証情報記憶手段と、
初期設定モードの場合には前記認証情報を携帯録音機器へ送信し再生処理モードの場合には前記携帯録音機器の認証情報を前記携帯録音機器から受信しセキュリティ付加音声データを再生するときは前記セキュリティ付加音声データを前記携帯録音機器から受信する第２の通信手段と、
再生処理モードの場合には前記携帯録音機器の認証情報が第２の認証情報記憶手段に書き込まれた認証情報と一致するときは前記セキュリティ付加音声データの再生を可能にする第２の制御手段と、
を有する情報機器。
【請求項７】
情報機器を、
初期設定モードの場合には自己が作成した認証情報を書き込む第２の認証情報記憶手段と、
初期設定モードの場合には前記認証情報を携帯録音機器へ送信し再生処理モードの場合には前記携帯録音機器の認証情報を前記携帯録音機器から受信しセキュリティ付加音声データを再生するときは前記セキュリティ付加音声データを前記携帯録音機器から受信する第２の通信手段と、
再生処理モードの場合には前記携帯録音機器の認証情報が第２の認証情報記憶手段に書き込まれた認証情報と一致するときは前記セキュリティ付加音声データの再生を可能にする第２の制御手段と、
として機能させるためのプログラム。
【請求項８】
請求項５記載の携帯録音機器と、
請求項６記載の情報機器と、
を有するセキュリティ装置。
【請求項９】
他の情報機器の第２の認証情報記憶手段に書き込まれた認証情報と自己の第２の認証情報記憶手段に書き込まれた認証情報の授受を行う認証情報入出力手段を更に有し、
第２の認証情報記憶手段は前記他の情報機器から受けた認証情報を更に書き込む
請求項２または６記載の情報機器。
【請求項１０】
情報機器を、
他の情報機器の第２の認証情報記憶手段に書き込まれた認証情報と自己の第２の認証情報記憶手段に書き込まれた認証情報の授受を行う認証情報入出力手段を更に有し、
第２の認証情報記憶手段は前記他の情報機器から受けた認証情報を更に書き込む
機能をさせるための請求項３または７記載のプログラム。
【発明の詳細な説明】
【技術分野】
【０００１】
本発明は、ポータブルオーディオ機器、ポータブルビデオ機器、携帯電話、個人用携帯情報端末（ＰＤＡ）などの携帯機器において、その機器の盗難・紛失時にデータに含まれる機密情報の漏洩を防止する携帯機器、携帯録音機器、情報機器、プログラムおよびセキュリティ装置に関するものである。
【背景技術】
【０００２】
近年、ポータブルオーディオ機器、ポータブルビデオ機器、携帯電話、個人用携帯情報端末（ＰＤＡ）などの携帯機器が普及してきている。携帯電話や個人用携帯情報端末（ＰＤＡ）には住所録などの個人情報や業務・取引に関する機密データが含まれており、機密情報に対するセキュリティへの対応がなされてきている。また、ポータブルオーディオ機器の録音データやポータブルビデオ機器における録画データにおいても、例えば重要会議データなどの機密情報が含まれており、機密情報の流出により経済的に大きな損失をもたらすリスクを有している。
【０００３】
さらに、半導体技術や磁気記録技術の進化により、大容量の記録媒体が携帯機器に内蔵されている機器が増加してきている。そこで、携帯機器が盗難・紛失した場合、その携帯機器に内蔵されている記録媒体にある機密情報が漏洩するリスクが発生するため、携帯機器における機密情報の漏洩を防止するセキュリティ装置への要望がますます高まってきている。
【０００４】
これらに対応するために、本人認証機能を設けることにより携帯機器の盗難・紛失時における機密情報の漏洩を防止している。現在用いられている本人認証機能は、大きく２つの方式に分類できる。第１の認証方式としてパスワード方式があり、広く普及している。この方法は携帯機器の使用時にパスワード入力を行うことにより機器の使用を可能にするものである。そのため、パスワードを知らない他人による不正使用を防止できる。パスワード方式は、実装が容易であり多くの携帯機器で実装されている。
第２の認証方式としてバイオメトリックス方式がある（例えば特許文献１参照。）。これは、指紋などの生体情報に基づいて本人認証を行う技術であり、一部の携帯電話などで実用化され始めている。
【特許文献１】特開２００４−６２８２６号公報
【発明の開示】
【発明が解決しようとする課題】
【０００５】
しかしながら上記の従来の構成では、パスワード方式では人間の記憶にもとづき入力を行うものであり、パスワード自体も容易に思い出せるものを設定する場合が多く、パスワードのハッキングなどにより他人にパスワードが漏洩する可能性が残る。また、バイオメトリックス方式では、コスト・サイズの問題や認識パターンの漏洩したときの変更の困難性などから、現状一部の携帯機器に採用されるに留まっている。
【０００６】
以上のように携帯機器の使用時に本人認証を行うこれらの方式では、パスワードや認証パターンなどの認証情報の漏洩リスクが存在し、携帯機器が盗難・紛失した場合に記録されている秘密情報が他人に漏洩する可能性が残っているという問題点を有していた。
【０００７】
本発明は上記従来の問題点を解決するもので、携帯機器の盗難・紛失時にその携帯機器を取得した他人により機密性のある情報が漏洩することを防止するために、携帯機器を利用する毎に利用者が本人認証を実施する必要のない携帯機器、携帯録音機器、情報機器、プログラムおよびセキュリティ装置を提供することを目的とする。
【課題を解決するための手段】
【０００８】
この目的を達成するために本発明の請求項１に係る携帯機器は、セキュリティ付加データを記録処理モードの場合には書き込み再生処理モードの場合には読み出すセキュリティ付加データ記憶手段と、初期設定モードの場合には認証情報を情報機器から受信し再生処理モードの場合には前記認証情報および前記情報機器が前記セキュリティ付加データを再生するときは前記セキュリティ付加データを前記情報機器へ送信する第１の通信手段と、初期設定モードの場合には前記第１の通信手段の出力である前記認証情報を書き込み再生処理モードの場合には前記認証情報を読み出す第１の認証情報記憶手段と、を備えた構成を有している。
【０００９】
また、本発明の請求項２に係る情報機器は、初期設定モードの場合には自己が作成した認証情報を書き込む第２の認証情報記憶手段と、初期設定モードの場合には前記認証情報を携帯機器へ送信し再生処理モードの場合には前記携帯機器の認証情報を前記携帯機器から受信しセキュリティ付加データを再生するときは前記セキュリティ付加データを前記携帯機器から受信する第２の通信手段と、再生処理モードの場合には前記携帯機器の認証情報が第２の認証情報記憶手段に書き込まれた認証情報と一致するときは前記セキュリティ付加データの再生を可能にする第２の制御手段と、を備えた構成を有している。
【００１０】
さらに、本発明の請求項３に係るプログラムは、情報機器を、初期設定モードの場合には自己が作成した認証情報を書き込む第２の認証情報記憶手段と、初期設定モードの場合には前記第１の認証情報を携帯機器へ送信し再生処理モードの場合には前記携帯機器の認証情報を前記携帯機器から受信しセキュリティ付加データを再生するときは前記セキュリティ付加データを前記携帯機器から受信する第２の通信手段と、再生処理モードの場合には前記携帯機器の認証情報が第２の認証情報記憶手段に書き込まれた認証情報と一致するときは前記セキュリティ付加データの再生を可能にする第２の制御手段と、して機能させる構成を有している。
【００１１】
また、本発明の請求項４に係るセキュリティ装置は、上述の携帯機器と、上述の情報機器と、を備えた構成を有している。
【００１２】
さらに、本発明の請求項５に係る携帯録音機器は、セキュリティ付加音声データを録音処理モードの場合には書き込み再生処理モードの場合には読み出すセキュリティ付加音声データ記憶手段と、初期設定モードの場合には認証情報を情報機器から受信し再生処理モードの場合には前記認証情報および前記情報機器が前記セキュリティ付加音声データを再生するときは前記セキュリティ付加音声データを前記情報機器へ送信する第１の通信手段と、初期設定モードの場合には前記第１の通信手段の出力である前記認証情報を書き込み再生処理モードの場合には前記認証情報を読み出す第１の認証情報記憶手段と、を備えた構成を有している。
【００１３】
また、本発明の請求項６に係る情報機器は、初期設定モードの場合には自己が作成した認証情報を書き込む第２の認証情報記憶手段と、初期設定モードの場合には前記認証情報を携帯録音機器へ送信し再生処理モードの場合には前記携帯録音機器の認証情報を前記携帯録音機器から受信しセキュリティ付加音声データを再生するときは前記セキュリティ付加音声データを前記携帯録音機器から受信する第２の通信手段と、再生処理モードの場合には前記携帯録音機器の認証情報が第２の認証情報記憶手段に書き込まれた認証情報と一致するときは前記セキュリティ付加音声データの再生を可能にする第２の制御手段と、を備えた構成を有している。
【００１４】
さらに、本発明の請求項７に係るプログラムは、情報機器を、初期設定モードの場合には自己が作成した認証情報を書き込む第２の認証情報記憶手段と、初期設定モードの場合には前記認証情報を携帯録音機器へ送信し再生処理モードの場合には前記携帯録音機器の認証情報を前記携帯録音機器から受信しセキュリティ付加音声データを再生するときは前記セキュリティ付加音声データを前記携帯録音機器から受信する第２の通信手段と、再生処理モードの場合には前記携帯録音機器の認証情報が第２の認証情報記憶手段に書き込まれた認証情報と一致するときは前記セキュリティ付加音声データの再生を可能にする第２の制御手段と、として機能させる構成を有している。
【００１５】
また、本発明の請求項８に係るセキュリティ装置は、請求項５に係る携帯録音機器と、請求項６に係る情報機器と、を備えた構成を有している。
【００１６】
さらに、本発明の請求項９に係る情報機器は、他の情報機器の第２の認証情報記憶手段に書き込まれた認証情報と自己の第２の認証情報記憶手段に書き込まれた認証情報の授受を行う認証情報入出力手段を更に有し、第２の認証情報記憶手段は前記他の情報機器から受けた認証情報を更に書き込む構成を有している。
【００１７】
また、本発明の請求項１０に係るプログラムは、情報機器を、他の情報機器の第２の認証情報記憶手段に書き込まれた認証情報と自己の第２の認証情報記憶手段に書き込まれた認証情報の授受を行う認証情報入出力手段を更に有し、第２の認証情報記憶手段は前記他の情報機器から受けた認証情報を更に書き込む機能をさせるための構成を有している。
【発明の効果】
【００１８】
以上のように本発明は、携帯機器を使用する毎に利用者が本人認証を実施することなく、携帯機器の盗難・紛失時にその携帯機器を取得した他人により機密情報の漏洩を防ぐことができるという優れた効果が得られる。
【発明を実施するための最良の形態】
【００１９】
以下、図面を参照しながら説明する。
（実施の形態１）
図1は本発明の実施の形態１における携帯機器および情報機器の構成を示すブロック図である。図1において、１は携帯機器である音声録音機器、２は情報機器であるＰＣを示している。１０１は音声録音機器１の制御を行うマイコンである。１０２は音声データの管理情報であるＴＯＣ（Ｔａｂｌｅ Ｏｆ Ｃｏｎｔｅｎｔｓ）、セキュリティなし音声データ、セキュリティ付加音声データ、認識キーなどを格納するフラッシュメモリである。１０３はＰＣ２との通信を行うためのＵＳＢコントローラ、１０４は音声データの圧縮・伸張を行う音声圧縮伸長ＬＳＩ、１０５は音声データを入力するマイク、１０６は音声データを出力するスピーカー、１０７はオーディオ機器を操作する入力キー、１０８はオーディオ機器の状態や入力指示内容を表示する表示器である。また、１１１はＰＣ２を制御するＣＰＵ、１１２は音声編集アプリケーション、認識キーなどを格納するハードディスク、１１３はオーディオ機器と通信を行うためのＵＳＢＩ／Ｆ、１１４はメモリ、１１５は入出力Ｉ／Ｆ、１１６はキーボード、１１７はマウス、１１８はディスプレイである。
【００２０】
ここで、本実施の形態では、ＰＣ２には音声録音機器１の音声データを再生することが可能な音声編集アプリケーションがハードディスク１１２上に格納されており、音声録音機器１とＰＣ２上のアプリケーションとの通信はＵＳＢ接続によりなされるものとしている。
【００２１】
以上のように構成された本発明の実施の形態１について、以下図２、図３、図４を用いて動作を説明する。図２は、本発明の実施の形態１におけるセキュリティ装置の初期設定モードの動作を示すフローチャートである。初期設定モードでは、本人認証に用いる認証キーを生成し、音声録音機器１のフラッシュメモリ１０２とＰＣ２のハードディスク１１２に生成された認証キーを格納する。まず音声録音機器１とＰＣ２をＵＳＢケーブルで接続する。ＰＣ２上のＣＰＵ１１１により、キーボード１１６とマウス１１７を操作し、ハードディスク１１２に格納されている音声編集アプリケーションを起動する。ステップＳ２０１では、ＰＣ２上の音声編集アプリケーションを用いて認証キーを生成する。手法として、ＰＣ名、ユーザー名、ＣＰＵ名などの固有情報をハッシュ化することにより固定長の認証キーを作成することができる。その後、処理はステップＳ２０２へ進む。ステップＳ２０２では、メモリ１１４上に生成された認証キーをＵＳＢＩ／Ｆ１１３を経由し、ＰＣ２のＵＳＢコントローラ１０３を用いて、マイコン１０１に送信する。その後、処理はＳ２０３へ進む。ステップＳ２０３では、メモリ１１４に生成された認証キーをハードディスク１１２へ格納する。その後、ＰＣ２の処理を終了する。ステップＳ２０４では、ＰＣ２で生成された認証キーを、音声録音機器１のＵＳＢコントローラ１０３を経由しマイコン１０１で受信する。その後、処理はＳ２０５へ進む。ステップＳ２０５では、フラッシュメモリ１０２に認証キーが格納されているかどうかを確認する。すでに認証キーが格納されている場合は、音声録音機器１の処理を終了する。まだ認証キーが格納されていない場合は、ステップ２０６へ進む。ステップＳ２０６では、フラッシュメモリ１０２に認証キーを格納する。その後、音声録音機器１の処理を終了する。本初期設定モードにより、音声録音機器１上のフラッシュメモリ１０２に認証キーが格納されていない場合は音声録音機器１上のフラッシュメモリ１０２とＰＣ２上のハードディスク１１２に同一の認証キーが格納される。
【００２２】
図３は、本発明の実施の形態１におけるセキュリティ装置の録音処理モードの動作を示すフローチャートである。録音処理モードについては、会議室などのＰＣ２との接続ができない場所で音声録音機器１を単体で操作する場合について述べる。ステップＳ３０１では、音声録音機器１上のフラッシュメモリ１０２に認証キーが格納されているかどうかを判断する。もし格納されていればステップＳ３０２へ進む。格納されていない場合は、ステップＳ３０３へ進む。ステップＳ３０２では、セキュリティを付加した録音を実施するかどうかを判断する。セキュリティ付加音声データの録音とセキュリティなし音声データの録音の指定方法として、音声データを格納するフォルダーを区別することにより実施できる。音声録音機器１では、ユーザーが録音した音声データを整理するために複数のフォルダーを設定し、区別できるようにしている場合が多い。そのうちの１つをセキュリティを付加した音声データの録音用のフォルダーとして指定することにより、そのフォルダーに格納する録音データをセキュリティ付加音声データとして録音することが可能となる。セキュリティを付加した音声データの録音を実施する場合は、ステップＳ３０４へ進む。セキュリティをつけずに音声データの録音を実施する場合は、ステップＳ３０３へ進む。ステップＳ３０３では、セキュリティを付加せずに音声データの録音を実施する。セキュリティなし音声データの録音では、マイク１０５より録音したデータを音声圧縮伸張ＬＳＩ１０４を用いてデータ圧縮を行い、フラッシュメモリ１０２へ音声データを格納する。このとき音声データにはセキュリティは付加されない。その後、ユーザーの停止操作などにより録音処理を終了する。ステップＳ３０４では、セキュリティを付加した音声データの録音を実施する。セキュリティ付加音声データの録音では、マイク１０５より録音したデータを音声圧縮伸張ＬＳＩ１０４を用いてデータ圧縮を行い、フラッシュメモリ１０２へセキュリティを付加した音声データを格納する。フラッシュメモリ上の音声データの管理はＴＯＣを用いて実施しており、音声データにセキュリティが付加されているかどうかはＴＯＣに記述されている音声データの属性により管理する。その後、ユーザーの停止操作などにより録音処理を終了する。
【００２３】
ここで、セキュリティ付加された音声データは、再生ができないように管理する。これにより、セキュリティが付加された音声データが音声録音機器１単体では再生されることがなくなり、重要会議などで録音した機密性の高いデータの漏洩を防ぐことができる。
【００２４】
図４は、本発明の実施の形態１におけるセキュリティ装置のセキュリティ付加音声データの再生処理モードの動作を示すフローチャートである。セキュリティ付加音声データの再生処理については、ＰＣ２との接続を行うことにより実現する。まず音声録音機器１とＰＣ２をＵＳＢケーブルを用いて接続する。ＰＣ２上のＣＰＵ１１１により、キーボード１１６とマウス１１７を操作し、ハードディスク１１２に格納されている音声編集アプリケーションを起動する。ステップＳ４０１では、音声録音機器１上のフラッシュメモリ１０２に格納された認証キーをＵＳＢコントローラー１０３を経由してＰＣ２に送信する。その後、音声録音機器１の処理を終了する。ステップＳ４０２では、音声録音機器１上の認証キーをＰＣ２上のＵＳＢＩ／Ｆを経由し、メモリ１１４に転送する。その後、処理はステップＳ４０３に進む。ステップＳ４０３では、ＰＣ２上の音声編集アプリケーションは、ハードディスク１１２に格納されている認証キーと音声録音機器１より転送されＰＣ２上のメモリ１１４に格納された認証キーが一致しているかどうかを判断する。もし一致している場合は、セキュリティ付加音声データを再生可能状態とし、ステップＳ４０４に進む。認証キーが一致していない場合は、ＰＣ２の処理を終了する。ステップＳ４０４では、ＰＣ２上のキーボード１１６やマウス１１７によりユーザーよりセキュリティ付加音声データの再生が指示された場合、ステップＳ４０５において音声録音機器１のフラッシュメモリ１０２にあるセキュリティ付加音声データをＵＳＢＩ／Ｆ１１３を経由してＰＣ２のメモリ１０４に転送し、そのデータを再生する。その後、処理を終了する。
【００２５】
以上のように本実施の形態１によれば、携帯機器（例えば音声録音機器１）が盗難・紛失した場合、携帯機器を入手した他人は携帯機器単体ではセキュリティ付加データ（例えばセキュリティ付加音声データ）を再生することができない。また、たとえ同一機種の情報機器のアプリケーション（例えば同一の音声編集アプリケーション）を保有していたとしても、本人認証のための認証情報（認証キー）が異なるためセキュリティ付加データの再生を行うことができない。従って、携帯機器を使用する毎に利用者が本人認証を実施することなく機密情報（例えば機密性のある音声データ）の漏洩を防ぐことができる。
【００２６】
なお、本実施の形態では、携帯機器と情報機器の通信をＵＳＢ通信により実現したが、通信方式には依存しない。
（実施の形態２）
図５は本発明の実施の形態２における携帯機器および情報機器からなるセキュリティ装置の構成を示すブロック図である。図５において、１は携帯機器である音声録音機器、２は情報機器であるＰＣを示している。１０１は音声録音機器１の制御を行うマイコンである。１０２は音声データの管理情報であるＴＯＣ（Ｔａｂｌｅ Ｏｆ Ｃｏｎｔｅｎｔｓ）、セキュリティなし音声データ、セキュリティ付加音声データ、認識キーなどを格納するフラッシュメモリである。１０３はＰＣ２との通信を行うためのＵＳＢコントローラ、１０４は音声データの圧縮・伸張を行う音声圧縮慎重ＬＳＩ、１０５は音声データを入力するマイク、１０６は音声データを出力するスピーカー、１０７はオーディオ機器を操作する入力キー、１０８はオーディオ機器の状態や入力指示内容を表示する表示器である。また、１１１はＰＣ２を制御するＣＰＵ、５１２は音声編集アプリケーション、第１の認証キー、第２の認証キーなどを格納するハードディスク、１１３はオーディオ機器と通信を行うためのＵＳＢＩ／Ｆ、１１４はメモリ、１１５は入出力Ｉ／Ｆ、１１６はキーボード、１１７はマウス、１１８はディスプレイ、５１９はメモリカード装置である。ここで、本実施の形態では、ＰＣ２には音声録音機器１の音声データを再生することが可能な音声編集アプリケーションがハードディスク１１２上に格納されており、音声録音機器１とＰＣ２上のアプリケーションとの通信はＵＳＢ接続によりなされるものとしている。また、本実施の形態では、音声録音機器１に格納されたセキュリティ付加音声データを利用者が所有している複数のＰＣでも再生できるように、ハードディスク１１２に第１の認証キーと第２の認証キーを格納している。さらに、作成したＰＣの認証キーを他のＰＣへ転送するために、実施の形態１の構成にメモリカード装置５１９を追加している。
【００２７】
以上のように構成された本発明の実施の形態２について、以下図６を用いて説明する。ここでは、音声録音機器１に格納されたセキュリティ付加音声データが複数のＰＣで再生が可能となる方法についてのみ記載する。その他の動作は、実施の形態１と同様である。図６は、本発明の実施の形態２におけるセキュリティ装置の認証キー転送処理モードの動作を示すフローチャートである。ここでは、ＰＣ６１には、音声録音機器1と同一の認証キーである第１の認証キーが格納されており、またＰＣ６２には、別の音声録音機器用の認証キーでは第２の認証キーが格納されているとしている。まず音声録音機器１とＰＣ６１をＵＳＢケーブルで接続する。ＰＣ６１上のＣＰＵ１１１により、キーボード１１６とマウス１１７を操作し、ハードディスク５１２に格納されている音声編集アプリケーションを起動し、メモリカードをメモリカード装置５１９へ挿入する。ステップＳ６０１では、ＰＣ６１上の音声編集アプリケーションを用いてハードディスク５１２に格納された第１の認証キーをメモリカード装置５１９へ転送する。その後、処理はステップＳ６０２へ進む。音声録音機器１とＰＣ６２をＵＳＢケーブルで接続する。ＰＣ６２上のＣＰＵ１１１により、キーボード１１６とマウス１１７を操作し、ハードディスク５１２に格納されている音声編集アプリケーションを起動し、ステップＳ６０１で用いたメモリカードをメモリカード装置５１９へ挿入する。ステップＳ６０２では、ＰＣ６２上の音声へ編集アプリケーションを用いてメモリカード装置５１９の第１の認証キーをメモリ１１４へ転送する。その後、処理はステップＳ６０３へ進む。ステップＳ６０３では、メモリ１１４に格納された認証キーがハードディスク５１２に格納された認証キー異なるかを判断する。もし、異なる場合は、ステップＳ６０４へ進む。そうでない場合は、処理を終了する。ステップＳ６０４では、メモリ１１４に格納された認証キーをハードディスク５１２に追記する。その後、処理を終了する。
【００２８】
なお、ここでは、第１の認証キー、第２の認証キーを用いて２台のＰＣを対象に説明をしたが、特に台数には制限はなく、ハードディスク５１２に格納可能な認証キーの数を増やすことにより、利用可能なＰＣの台数を増やすことが可能である。
【００２９】
以上のように本実施の形態２によれば、音声録音機器１に格納されたセキュリティ付加音声データを、本人所有の複数の情報機器で利用者が再生することが可能となり、利用者の利便性を向上させることができる。
【産業上の利用可能性】
【００３０】
本発明の携帯機器、携帯録音機器、情報機器、プログラムおよびセキュリティ装置は、携帯機器を使用する毎に利用者が本人認証を実施することなく、携帯機器の盗難・紛失時にその携帯機器を取得した他人により機密情報の漏洩を防ぐことができるという優れた効果を有しているため、携帯機器の盗難・紛失時に機密情報の漏洩を防止する機能が必要となる携帯機器等において有用である。
【図面の簡単な説明】
【００３１】
【図１】本発明の実施の形態１における携帯機器および情報機器からなるセキュリティ装置の構成を示すブロック図
【図２】本発明の実施の形態１におけるセキュリティ装置の初期設定モードの動作を示すフローチャート
【図３】本発明の実施の形態１におけるセキュリティ装置の録音処理モードの動作を示すフローチャート
【図４】本発明の実施の形態１におけるセキュリティ装置のセキュリティ付加音声データの再生処理モードの動作を示すフローチャート
【図５】本発明の実施の形態２における携帯機器および情報機器からなるセキュリティ装置の構成を示すブロック図
【図６】本発明の実施の形態２におけるセキュリティ装置の認証キー転送処理モードの動作を示すフローチャート
【符号の説明】
【００３２】
１０１    マイコン
１０２    フラッシュメモリ
１０３    ＵＳＢコントローラ
１０４    音声圧縮伸長ＬＳＩ
１０５    マイク
１０６    スピーカー
１０７    入力キー
１０８    表示器
１１１    ＣＰＵ
１１２    ハードディスク
１１３    ＵＳＢＩ／Ｆ
１１４    メモリ
１１５    入出力Ｉ／Ｆ
１１６    キーボード
１１７    マウス
１１８    ディスプレイ
【図１】
2008181268.tif 000003
【図２】
2008181268.tif 000004
【図３】
2008181268.tif 000005
【図４】
2008181268.tif 000006
【図５】
2008181268.tif 000007
【図６】
2008181268.tif 000008